(57)【要約】【課題】装飾プレートを熱カシメを行うことなく簡単かつ確実にスピーカーグリルに取り付けることができる装飾プレート付きスピーカーグリルを提供すること。【解決手段】装飾プレート１の裏面側にスピーカーグリル１０の孔部１１に挿通可能な第１の棒状係止部材２ａと第２の棒状係止部材２ｂを立設しておく。孔部１１を通過させた第１の棒状係止部材２ａを折り曲げて、その先端部を第２の棒状係止部材２ｂの先端部に設けた受け溝部３に係合することにより、装飾プレート１を簡単に取り付ける。【選択図】　　　図２
2004017871.tif 000002
【特許請求の範囲】
【請求項１】
装飾プレートの裏面側にスピーカーグリルの孔部に挿通可能な第１の棒状係止部材と第２の棒状係止部材が立設されており、孔部を通過した第１の棒状係止部材が折り曲げられてその先端部が第２の棒状係止部材の先端部に設けた受け溝部に係合されていることを特徴とする装飾プレート付きスピーカーグリル。
【請求項２】
受け溝部の幅は、第１の棒状係止部材の幅よりも狭くなっており、第１の棒状係止部材の係合により溝部が開拡されて孔部からの抜けを防止するよう構成されている請求項１に記載の装飾プレート付きスピーカーグリル。
【請求項３】
受け溝部の上縁には、係合した第１の棒状係止部材の抜けを防止するストッパー片が形成されている請求項１〜２のいずれかに記載の装飾プレート付きスピーカーグリル。
【発明の詳細な説明】
【０００１】
【発明の属する技術分野】
本発明は、装飾プレートが熱カシメを行うことなく簡単かつ確実にスピーカーグリルに取り付けられている装飾プレート付きスピーカーグリルに関するものである。
【０００２】
【従来の技術】
従来から、自動車のドアトリムにはスピーカーグリルが装着されているのが一般的である。また、このスピーカーグリルには文字や絵柄等をプリントした装飾プレートを取り付けたものも知られている。
【０００３】
この場合、前記装飾プレートは熱カシメによってスピーカーグリル上に取り付けるのが普通であり、取付作業が面倒であるうえに作業時間が長くなるという問題点があった。また、熱カシメ装置が必要となるために、設備費がかかり生産コストが高くなるという問題点もあった。
【０００４】
【発明が解決しようとする課題】
本発明は上記のような従来の問題点を解決して、装飾プレートを従来のように熱カシメを行うことなく簡単かつ確実にスピーカーグリルに取り付けることができ、取付作業の効率化および生産コストの低減化を図ることができる装飾プレート付きスピーカーグリルを提供することを目的として完成されたものである。
【０００５】
【課題を解決するための手段】
上記の課題を解決するためになされた本発明の装飾プレート付きスピーカーグリルは、装飾プレートの裏面側にスピーカーグリルの孔部に挿通可能な第１の棒状係止部材と第２の棒状係止部材が立設されており、孔部を通過した第１の棒状係止部材が折り曲げられてその先端部が第２の棒状係止部材の先端部に設けた受け溝部に係合されていることを特徴とするものである。
【０００６】
【発明の実施の形態】
以下に、図面を参照しつつ本発明の好ましい実施の形態を示す。
図１は、本発明に係る装飾プレート付きスピーカーグリルをドアトリム２０に装着した状態を示すもので、１０はスピーカーグリル、１１は該スピーカーグリル１０に形成された多数の孔部である。また、１はこのスピーカーグリル１０の表面に取り付けられた文字や絵柄等をプリントした合成樹脂製の装飾プレートである。
【０００７】
図２〜図３に示されるように、前記装飾プレート１の裏面側には、スピーカーグリル１０の孔部１１に挿通可能な第１の棒状係止部材２ａと第２の棒状係止部材２ｂが立設されている。そして、前記第１の棒状係止部材２ａは、孔部１１を通過後、折り曲げられてその先端部が第２の棒状係止部材２ｂの先端部に設けた受け溝部３に係合されたものとなっている。なお図中７は、第１の棒状係止部材２ａを折り曲げ容易にするための肉欠き部である。
このように十分な長さを有し、かつ折り曲げ可能な第１の棒状係止部材２ａと、先端部に受け溝部３を設けた第２の棒状係止部材２ｂを係合させた構造とすることによって、従来のように熱カシメを行うことなく装飾プレート１を簡単かつ確実にスピーカーグリル１０に取り付けることが可能となる。
【０００８】
なお、前記受け溝部３の幅は、第１の棒状係止部材２ａの幅よりも狭くなっており、第１の棒状係止部材２ａの係合により溝部３が開拡されて孔部１１からの抜けを防止するよう構成されている。
即ち、図４に示されるように、第２の棒状係止部材２ｂの先端部には受け溝部３が設けられており、該受け溝部３の両側の側壁４、４は合成樹脂のもつ弾力性によって外側へ開拡可能となっている。従って、図５〜６に示されるように、第１の棒状係止部材２ａが係合されると、前記側壁４、４の弾力により棒状係止部材２ａが保持されるとともに、側壁４、４が左右に開拡されてスピーカーグリル１０の孔部１１に押し付けられることにより第２の棒状係止部材２ｂも孔部１１に固定されることとなる。
【０００９】
なお、図示のものでは、側壁４、４の外側下方部に段部５、５が形成されており、側壁４、４が左右に開拡された場合に、段部５が孔部１１の外縁に引っ掛かるよう構成されており、この場合には装飾プレート１がより確実に固定されることとなり好ましい。
また、受け溝部３の上縁に、係合した第１の棒状係止部材２ａの抜けを防止するストッパー片６を形成しておけば、第１の棒状係止部材２ａの抜け現象を防止でき好ましい。
【００１０】
このように本発明では、装飾プレート１の裏面側にスピーカーグリル１０の孔部１１に挿通可能な第１の棒状係止部材２ａと第２の棒状係止部材２ｂが立設されており、孔部１１を通過した第１の棒状係止部材２ａが折り曲げられてその先端部が第２の棒状係止部材２ｂの先端部に設けた受け溝部３に係合されているものとしたので、スピーカーグリル１０に装飾プレート１を取り付けるには、前記第１の棒状係止部材２ａと第２の棒状係止部材２ｂを孔部１１に挿通し、第１の棒状係止部材２ａを折り曲げてその先端部を第２の棒状係止部材２ｂの先端部に設けた受け溝部３に係合するのみで簡単かつ確実に行えることとなる。しかも、受け溝部３の両側の側壁４、４の弾力により棒状係止部材２ａを保持するので、係合状態を確実に保持できることとなる。更には、装飾プレート１が損傷した場合にも、前記係合状態を解除して新しいものに簡単に交換することができ、従来の熱カシメによるものに比べて作業時間の短縮化、低コスト化を図ることができるという利点もある。
【００１１】
【発明の効果】
以上の説明からも明らかなように、本発明は装飾プレートを従来のように熱カシメを行うことなく簡単かつ確実にスピーカーグリルに取り付けることができ、取付作業の効率化および生産コストの低減化を図ることができるものである。
よって本発明は従来の問題点を一掃した装飾プレート付きスピーカーグリルとして、産業の発展に寄与するところは極めて大である。
【図面の簡単な説明】
【図１】本発明の実施の形態を示す斜視図である。
【図２】本発明の実施の形態を示す断面図である。
【図３】本発明の実施の形態を示す裏面側から見た斜視図である。
【図４】第２の棒状係止部材を示す斜視図である。
【図５】第１の棒状係止部材と第２の棒状係止部材の係合工程を示す説明図である。
【図６】第１の棒状係止部材と第２の棒状係止部材の係合工程を示す説明図である。
【符号の説明】
１　装飾プレート
２ａ　第１の棒状係止部材
２ｂ　第２の棒状係止部材
３　受け溝
４　側壁
５　段部
６　ストッパー片
１０　スピーカーグリル
１１　孔部
２０　ドアトリム
【図１】
2004017871.tif 000003
【図２】
2004017871.tif 000004
【図３】
2004017871.tif 000005
【図４】
2004017871.tif 000006
【図５】
2004017871.tif 000007
【図６】
2004017871.tif 000008